(57)【要約】【課題】  遊技者が視認する表示部や遊技者が操作する操作部などを有する操作ユニットを効率よく着脱することが可能な球受皿を備えた遊技機を提供する。【解決手段】球受皿５を備えた遊技機１において、球受皿５が、皿部材２０と当て板部材１０と前飾り部材３０と操作ユニット４０とを備えており、その操作ユニット４０を係合する固定部材５０が当て板部材１０の後面側から締結部材７０によって固定されている。また、操作ユニット４０は、固定部材５０を球受皿５から取り外すことにより、空間部１００から取り外し可能に固定されている。【選択図】  図５
2010148710.tif 000002
【特許請求の範囲】
【請求項１】
球受皿を備えた遊技機において、前記球受皿は、
遊技球を一時的に貯留する貯留部と、その貯留部で貯留した遊技球を球発射装置に１個ずつ供給するために１列に整列して流下させる整流通路とを有する皿部材と、
その皿部材の後側に配置され、前記貯留部及び整流通路の後壁を形成する当て板部材と、
前記皿部材の前側で該皿部材との間に所定形状をなす空間部を有して固定配置され、前記球受皿の外郭を形成する前飾り部材と、
前記皿部材と前飾り部材との間の前記空間部に収容され、遊技者が操作する操作部を有する操作ユニットと、
前記前飾り部材の前側に配置され、後面側に設けられた取付部が前記空間部に収容された操作ユニットに係合するとともに、前記当て板部材に形成された取付孔に後面側から挿入された締結部材によって該当て板部材に固定されている固定部材と、
を備えることを特徴とする遊技機。
【請求項２】
前記操作ユニットは、前記固定部材を前記球受皿から取り外すことにより、前記空間部から取り外し可能に固定されている請求項１に記載の遊技機。
【請求項３】
前記前飾り部材には、前記空間部に対応して前後方向に貫通する差込孔が形成され、その差込孔から前記固定部材の取付部が前記空間部内部に差し込まれて前記操作ユニットを係合している請求項１又は２に記載の遊技機。
【請求項４】
前記操作ユニットは、前記差込孔を介して前記空間部内部で解除可能な係止手段によって固定されている請求項１ないし３のいずれか１項に記載の遊技機。
【請求項５】
前記係止手段は、後面側に設けられた取付部が前記当て板部材に形成された取付孔に後面側から挿入された締結部材によって該当て板部材に固定され、前記空間部に配置された前記操作ユニットを係止する仮固定部材を含み構成される請求項４に記載の遊技機。
【請求項６】
前記仮固定部材は、前記前飾り部材の前面側を覆うとともに前記差込孔を囲む貫通孔が形成され、その貫通孔を介して前記固定部材に共締め固定されている請求項５に記載の遊技機。
【発明の詳細な説明】
【技術分野】
【０００１】
本発明は、球受皿を備えた遊技機に関する。
【背景技術】
【０００２】
ぱちんこ機などの遊技機は、矩形状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、賞球や貸球された遊技球を一時的に貯留し、該貯留した遊技球を内枠に設けられた発射装置の発射位置へ誘導する。そして、前枠には発射ハンドルが設けられ、該発射ハンドルの操作により発射装置を作動させる。
【０００３】
【特許文献１】特開２０００−３３４１３７号公報
【０００４】
従来より、ぱちんこ機は、特許文献１のように、球払出装置を利用して遊技球を貸し出すタイプ（カード対応）のぱちんこ機の出現に伴って、カードの球貸し保有金額(残高を含む)を表示する表示部や球貸し操作用の貸出しスイッチ、カード返却操作用の返却スイッチ等が夫々配設された球貸し操作部（操作ユニット）が上球皿（球受皿）に設けられている。そして、特許文献１は、球貸し操作機能の有無を簡単に選択することができるように、表示部，球貸しスイッチ，返却スイッチ及び制御基板などが取着されたセット板と、そのセット板に同形装飾用セット板とが、外郭体（前飾り部材）の底板部側から工具を利用して組み付け、組外し操作により交換可能に形成されたものである。
【０００５】
ところで、近年では液晶表示器などの可変表示装置を用いてリーチ予告演出、リーチ演出、大当たり予告演出、大当たり演出等の演出表示の多様化が進み、球受皿には、貸出しスイッチや返却スイッチとは別に、その演出表示に合わせて遊技者が操作して該演出に参加することができる演出ボタンなどが設けられている。
【発明の開示】
【発明が解決しようとする課題】
【０００６】
しかしながら、多様化が図られた演出によって射幸心をくすぐられた遊技者は、この演出ボタンを操作する際についつい手に力が入ってしまう事があり、例えば演出ボタンが接触不良などの故障や破損を招いてしてしまう事態が稀に起こる。その際には、球貸し操作部や演出ボタンなどの故障した該当箇所を検査し、修理又はそのまま交換することになる。そこで、それを行う作業者から簡単に球貸し操作部や演出ボタンを取り外す（交換する）ことができる球受皿が望まれている。なお、近年では遊技場において機種入れ替えが実施される際には、製造元が同じ遊技機については交換費用を節約できるように前枠や内枠、外枠などの枠体を共通として遊技盤のみが交換可能となっており、枠体は比較的長期にわたって使用されるため上記した演出ボタンの故障などが発生する可能性は高くなっている。
【０００７】
特許文献１では、球貸し操作部（操作ユニット）のセット板が、外郭体（前飾り部材）の底板部側から工具を利用して組み付け、組外し操作により着脱可能となっているため、開閉支板を取り外す必要がないなど比較的容易に取り外すことができるが、工具を底板部側から挿入するために、球受皿自体を遊技機枠から取り外すか作業者が屈むなどの態勢をとらなければならないといった手間が生じる。
【０００８】
本発明は、上記実情に鑑みてなされたものであり、遊技者が視認する表示部や遊技者が操作する操作部などを有する操作ユニットを効率よく着脱することが可能な球受皿を備えた遊技機を提供することにある。
【課題を解決するための手段】
【０００９】
上記課題を解決するために、本発明の遊技機は、
球受皿を備えた遊技機において、球受皿は、
遊技球を一時的に貯留する貯留部と、その貯留部で貯留した遊技球を球発射装置に１個ずつ供給するために１列に整列して流下させる整流通路とを有する皿部材と、
その皿部材の後側に配置され、貯留部及び整流通路の後壁を形成する当て板部材と、
皿部材の前側で該皿部材との間に所定形状をなす空間部を有して固定配置され、球受皿の外郭を形成する前飾り部材と、
皿部材と前飾り部材との間の空間部に収容され、遊技者が視認可能に数値情報を表示する表示部及び／又は遊技者が操作する操作部を有する操作ユニットと、
前飾り部材の前側に配置され、後面側に設けられた取付部が空間部に収容された操作ユニットに係合するとともに、当て板部材に形成された取付孔に後面側から挿入された締結部材によって該当て板部材に固定されている固定部材と、を備えることを特徴とする。
【発明の効果】
【００１０】
上記本発明の遊技機によれば、球受皿が皿部材と当て板部材と前飾り部材と操作ユニットとを備えており、その操作ユニットを係合する固定部材が当て板部材の後面側から締結部材によって固定されている。これによれば、遊技者が視認する表示部や遊技者が操作する操作部などを有する操作ユニットを効率よく着脱することが可能な球受皿を備えることができる。
【００１１】
すなわち、操作ユニットは、固定部材を球受皿から取り外すことにより、空間部から取り外し可能に固定されている。したがって、前飾り部材の前側に配置された固定部材が当て板部材の後面側から締結部材によって固定されているので、球受皿自体を遊技機枠から取り外したり作業者が屈むなどの態勢をとったりしなくとも、前枠を開放した状態で球受皿（当て板部材）の後面側から工具を用いて締結部材を外すことで固定部材を簡単に球受皿から取り外すことができ、その固定部材による係合が解除されて操作ユニットを簡単に取り外すことができる。ひいては、仮に操作ユニットに配設された演出ボタンなどの操作部に故障や破損が生じた場合にも、無用に球受皿を分解することがなくなり、作業者からの不満もなく簡単に検査や修理、交換を行うことが可能となる。
【００１２】
また、前飾り部材には、空間部に対応して前後方向に貫通する差込孔が形成され、その差込孔から固定部材の取付部が空間部内部に差し込まれて操作ユニットを係合する構成とすることができる。これによれば、操作ユニットが収容される空間部に対応して固定部材の差込孔が形成されているので、その固定部材の取付部を差込孔に前後方向で直線的に差し込むだけで操作ユニットの係合及び自身の固定（位置決め）を行うことが可能となる。すなわち、固定部材の取付部を当て板部材に対して最短距離で固定することで、位置合わせ及び組み付けが容易となり、十分な強度を確保することができ合理的である。
【００１３】
また、操作ユニットは、差込孔を介して空間部内部で解除可能な係止手段によって固定されている構成とすることができる。これによれば、操作ユニットを空間部に収容したときに、空間部内部から解除可能な係止手段を設けることで、言い換えれば、球受皿外部からは解除が困難（不能）な係止手段を設けることで、差込孔から作業者は指などを入れて係止手段を簡単に解除できるので、作業性が損なわれることなく、遊技者がいたずらに操作ユニットを取り外せないように該操作ユニットの固定を強化することができる。
【００１４】
そして係止手段は、後面側に設けられた取付部が当て板部材に形成された取付孔に後面側から挿入された締結部材によって該当て板部材に固定され、空間部に配置された操作ユニットを係止する仮固定部材を含み構成することができる。これによれば、空間部内部から解除可能な係止手段として、当て板部材の後面側から固定される仮固定部材を用いることで、球受皿外部からの解除困難性を強化した係止を実施することができる。
【００１５】
さらに、係止手段としての仮固定部材は、前飾り部材の前面側を覆うとともに差込孔を囲む貫通孔が形成され、その貫通孔を介して固定部材に共締め固定される構成とすることができる。これによれば、固定部材が仮固定部材を共締め固定するので、操作ユニットにおける仮固定部材の係止を強化するとともに、操作ユニットを取り外す際には固定部材が先に取り外されるため、係止解除は容易になり合理的である。さらには、仮固定部材を前飾り部材に対して広く覆うように大きく形成できるので、大きな操作ユニットにも対応することが可能となり、設計の自由度を広げることができる。
【発明を実施するための最良の形態】
【００１６】
以下、本発明における実施形態を図面を参照しつつ説明する。図１は本発明の実施形態に係る遊技機の一例を示す正面図、図２は球受皿の平面図及び斜視図、図３は球受皿の分解斜視図、図４は球受皿の縦断面図、図５は球受皿の一部を分解した斜視図、図６は皿部材の平面図及び斜視図、図７は前飾り部材の平面図及び斜視図、図８は操作ユニットの平面図及び斜視図、図９は固定部材の正面図，背面図，側面図及び斜視図、図１０は仮固定部材の平面図及び斜視図、である。
【００１７】
図１に示すように、遊技機（以下、ぱちんこ機ともいう）１は、そのぱちんこ機１の外郭を形成する額縁状の外枠２を備え、その外枠２の前面に一側をヒンジ２ａを介して枢支して、その前面側に向かって片開き可能に内枠（図示せず）が支持されている。その内枠には、ガイドレールにより区画された遊技領域が形成された遊技盤が装着され、その下方に球発射装置が設けられている。また、内枠の一側に遊技盤の正面を覆うガラスなどの透明板３を備えた前枠４が開閉自在に設けられている。そして、その前枠４の前面下側には、遊技球を貯留し、貯留した遊技球を整流して球発射装置に遊技球を供給する球受皿５が設けられている。また、この球受皿５の右下側に遊技球の発射力を調節する発射ハンドル６が設けられている。なお、本明細書において、ぱちんこ機１における前後方向とは球受皿５の遊技者側が前側であり、球受皿５の奥側が後側である。
【００１８】
球受皿５は、図２に示すように、上面側に遊技球を一時的に貯留する貯留部２３が形成されるとともに、その周囲に球貸し保有金額(残高を含む)を表示する表示部４１や球貸し操作用の球貸スイッチ４２ａ，返却操作用の返却スイッチ４２ｂ，図示しない液晶表示部の演出表示に合わせて遊技者が操作して該演出に参加することができる演出ボタン４２ｃ，図示しない球発射装置の手前で遊技球を排出するサブ球排出ボタン４２ｄ（以下、まとめて操作部４２ともいう）等が夫々配設されている。また、球受皿５は、前面側に貯留部２３の底壁２１の開口に設けられた遮蔽蓋２９を開閉するためのメイン球排出ボタン３９や、遊技機のエンブレムなどの装飾部５１が形成されている。
【００１９】
具体的には、球受皿５は、図３及び図４に示すように、板金（図示せず）などの前面を覆う当て板部材１０と、その当て板部材１０の前面１０ａに横設される皿部材２０と、それら当て板部材１０及び皿部材２０の前面側を覆い球受皿５の外郭を形成する前飾り部材３０と、その皿部材２０と前飾り部材３０との間に配置され、表示部４１や操作部４２を有する操作ユニット４０と、その操作ユニット４０を固定するとともに、前面に装飾部５１を形成する固定部材５０とを備えている。また、球受皿５は、操作ユニット４０を係止する仮固定部材６０を備えている。
【００２０】
まず先に、皿部材２０は、図６に示すように、底壁２１と、その底壁２１の前周縁から立ち上がる前周壁２２とを備え、半皿状形態に形成されている。そして、皿部材２０は、遊技球を一時的に貯留する貯留部２３と、その貯留部２３で貯留した遊技球を球発射装置に１個ずつ供給するために１列に整列して流下させる整流通路２４とを形成している。また、皿部材２０は、整流通路２４として、皿部材２０の底壁２１の後端縁２１ａに沿って、上面から後端面及び下面にかけて挟み込むように屈曲形成された１枚からなる長手状の金属プレート２５が組み付けられている。これにより、整流通路２４は、底壁が金属プレート２５によって形成され、後壁が当て板部材１０によって形成される。
【００２１】
また、皿部材２０には、前周壁２２の上端縁２２ａに後述する操作ユニット４０の皿側係止片４３ａが差し込まれる係止孔２６や、後面側の所定の位置に当て板部材１０に形成された取付孔に後面側から挿入される締結部材（図示せず）によって該当て板部材１０に固定される皿取付部２７などが形成されている。
【００２２】
当て板部材１０は、図３及び図４に示すように、皿部材２０の後側に配置され、貯留部２３及び整流通路２４の後壁として板状形態に形成されている。また、当て板部材１０は、図示しない球払出装置から払い出され球払出通路によって誘導された遊技球を皿部材２０の貯留部２３に受け入れる球払出口１１や、その皿部材２０の整流通路２４で整流された遊技球を図示しない球発射装置に供給するための球導入口１２が貫通形成されている。また、当て板部材１０には、固定部材５０を固定するために前方に延設されたボス状の筒状突部１３が形成されている。筒状突部１３には、締結部材７０が挿入される取付孔１３ａが形成されている。また、当て板部材１０には、締結部材によって皿部材２０、前飾り部材３０及び仮固定部材６０を固定するための取付孔が所定位置に貫通形成されている。
【００２３】
前飾り部材３０は、図３ないし図５、図７に示すように、球受皿５の外郭を形成するとともに、底壁３１と、その底壁３１の前周縁から立ち上がる前周壁３２とを備え、皿部材２０の前側で該皿部材２０との間に所定形状をなす空間部１００を形成して当て板部材１０に対して固定配置される（図５参照）。すなわち、空間部１００は、皿部材２０の前周壁２２の上端縁２２ａ及び前飾り部材３０の前周壁３２の上端縁３２ａによって開口１０１が形成されている。また、前飾り部材３０は、前周壁３２に空間部１００に対応して前後方向に貫通する差込孔３３が形成され、この差込孔３３から固定部材５０の取付部５２が空間部１００内部に差し込まれて操作ユニット４０を係合することとなる。また、前飾り部材３０には、前周壁３２の内側に操作ユニット４０を支持する支持壁３４や支持突起３５，３５、並びに後面側の所定の位置に当て板部材１０に形成された取付孔に後面側から挿入される締結部材（図示せず）によって該当て板部材１０に固定される飾り取付部３６などが形成されている。なお、差込孔３３には、固定部材５０が空間部１００内部に入り込みすぎないように規制壁３３ａが形成されている。
【００２４】
操作ユニット４０は、図８に示すように、空間部１００の開口１０１を蓋うセット板部４３と、そのセット板部４３の図示しない開口から下側に臨むように表示部４１及び操作部４２を配置する収容部４４とを備えてユニット化されている。また、セット板部４３の周縁には、皿部材２０側（後側）で下方に垂れ下がり皿部材２０の係止孔２６に差し込まれる皿側係止片４３ａと、前飾り部材３０側（前側）の側壁４３ｈから前方に延設され前飾り部材３０の前周壁３２の上端縁３２ａに掛止される前飾り側係止片４３ｂと、その前飾り側係止片４３ｂの近傍で側壁４３ｈが下側から切り欠かれた前飾り側係止凹４３ｃとが形成されている。
【００２５】
また、収容部４４には、前飾り部材３０の支持突起３５に対応して下方に延設された支持脚４４ａが形成され、その支持脚４４ａの先端部はボス状の支持突起３５の外周に上側から嵌まり込むように二股状に形成されている。また、収容部４４には、２つの支持脚４４ａの間から下方に延設され、固定部材５０の取付部５２に形成された係合部５４に係合されるフック状又はＬ字状の被係合部４５が形成されている。これによれば、２つ支持脚４４ａの間に被係合部４５を形成しているので、セット板部４３において撓みなどを生じさせず、固定部材５０により下方に引っ張られることによる荷重を安定して支持することができる。
【００２６】
固定部材５０は、図４及び図９に示すように、前飾り部材３０の前側に配置され、後面側に設けられた取付部５２が空間部１００に収容された操作ユニット４０に係合するとともに、当て板部材１０に形成された取付孔１３ａに後面側から挿入される締結部材７０によって当て板部材１０に固定される。
【００２７】
具体的には、固定部材５０は、前面に所定の形態を有する装飾部５１と、その装飾部５１の後面側で前飾り部材３０の差込孔３３に対応するように後側に延設された取付部５２と、取付部５２の先端に形成され締結部材７０によって締結される締結部５３と、取付部５２の上面側で後方及び片側を開放した断面Ｌ字状の係合部５４とを備えている。また、固定部材５０は、装飾部５１が取付部５２に対してフランジ状に突出するフランジ部５５を有して形成されている。
【００２８】
仮固定部材６０（係止手段）は、図４及び図１０に示すように、前飾り部材３０の前面側を覆う前壁６１と、その前壁６１の上端で操作ユニット４０に対応した位置に形成される上壁部６２と、空間部１００における操作ユニット４０以外の残余の開口１０１を覆う上蓋部６３とを備えている。また、仮固定部材６０は、前壁６１に前飾り部材３０の差込孔３３を囲むように貫通孔６４が形成されている。
【００２９】
これにより、仮固定部材６０は、固定部材５０のフランジ部５５によって、その貫通孔６４を介して前飾り部材３０の前面側に共締め固定される。また、上壁部６２には、操作ユニット４０の前飾り側係止凹４３ｃに対応して後方に延設される支持片６５が形成され、前壁６１の後面下側には、前飾り部材の係止孔３７に差し込まれる下側係止片６６が形成されている。
【００３０】
そして、仮固定部材６０は、後面側の所定の位置に当て板部材１０に形成された取付孔に後面側から挿入される締結部材７０によって該当て板部材１０に固定されるカバー取付部６７などが形成されている。これによれば、仮固定部材６０をレンズ部材として透明などの光透過性材料によって形成することで、前飾り部材３０の前面側に発光源を配置して球受皿５を装飾することができる。
【００３１】
また、球受皿５は、前飾り部材３０の前面を覆う固定部材５０及び仮固定部材６０が設けられているので、遊技場において機種入れ替えが実施される際には、遊技盤とともにその遊技盤に対応した装飾を施した固定部材（装飾部）及び仮固定部材に交換することで、その機種毎の専用の枠であるかのように遊技機を提供することが可能となる。すなわち、簡単にかつ低コストで枠のマイナーチェンジを実施することができる。ひいては、遊技場側独自の営業戦略として遊技機を装飾することができる。また逆に、固定部材５０の装飾部５１に製造元を表すエンブレム（標章）などを形成する場合には、固定部材５０に汎用性が備わり、枠開発（製造）において再利用することができ、製造コストの低減を図ることができる。なお、上蓋部６３は、前飾り部材３０で形成してもよい。すなわち、空間部１００の開口１０１と操作ユニット４０とが略同形状で形成される。
【００３２】
次に、球受皿５の組み立て工程及び操作ユニット４０の取り外し行程について説明する。まず、図３ないし図５に示すように、当て板部材１０の前面１０ａ側に皿部材２０及び前飾り部材３０をそれぞれ所定箇所に設けられた取付部２７，３６に当て板部材１０の後面側から締結部材によって固定して組み付ける。続いて、操作ユニット４０を用意し、その操作ユニット４０を皿部材２０と前飾り部材３０との間に形成された空間部１００に配置する。具体的には、操作ユニット４０の収容部４４を開口１０１から空間部１００内部に配置するとともに、セット板部４３に形成された皿側係止片４３ａを皿部材２０の係止孔２６に差し込み、収容部４４に形成された支持脚４４ａを前飾り部材４０の支持突起３５に嵌め込む。
【００３３】
ここで、皿側係止片４３ａは、図４に示すように、セット板部４３の側壁４３ｈから少し内側に形成されており、皿部材２０の前周壁２２の上端縁２２ａの全体でセット板部４３の周縁部を支持することができる。また、皿側係止片４３ａが係止孔２６に上下方向に差し込まれているので、操作ユニット４０における前後方向のズレ（移動）を規制するとともに、セット板部４３が空間部１００に入り込むのを防止している。
【００３４】
なお、本実施形態では支持脚４４ａの先端を支持突起３５の外周面に倣って二股状に形成したが、この支持脚を係止手段として支持突起３５に係止する係止爪を有した弾性片とすることもできる。その場合には、その係止爪が支持突起に係止するので、操作ユニット４０を空間部１００に対して仮固定することができる。したがって、操作ユニット４０を安定して固定できる。なお、この係止爪による係止は、前飾り部材３０に形成された差込孔３３から指などを突っ込むことで簡単に解除することができる。
【００３５】
次に、仮固定部材６０を用意し、まず、その仮固定部材６０の下側係止片６６を前飾り部材３０の係止孔３７に差し込み、所定箇所に設けられたレンズ取付部６７に当て板部材１０の後面側から締結部材７０によって固定して組み付ける。このとき、仮固定部材６０の支持片６５が操作ユニット４０の前飾り側係止凹４３ｃに差し込まれるとともに、上壁部６２が前飾り側係止片４３ｂの上側に配置される。すなわち、セット板部４３（操作ユニット４０）の前飾り側係止片４３ｂと上壁部６２（仮固定部材６０）の支持片６５が例えば交互に並んで相手側の下側に入り込んで固定される。なお、前飾り側係止片４３ｂは前飾り部材３０の前周壁３２と仮固定部材６０の上壁部６２とで挟まれる形で係止されているので、飾り側係止片４３ｂの幅を調節することで、差込孔３３から指などを突っ込んで押し上げて操作ユニット４０を簡単に取り外すことができる。
【００３６】
そして、最後に、固定部材５０を用意し、その固定部材５０の取付部５２を仮固定部材６０の貫通孔６４及び前飾り部材３０の差込孔３３を介して空間部１００内部に差し込む。このとき、固定部材５０は、取付部５２に形成された係合部５４の下面が操作ユニット４０の被係合部４５の上面に摺接させながら、または、近接して差し込まれ、当て板部材１０の筒状突部１３に締結部材７０によって固定して組み付ける。これにより、固定部材５０が仮固定部材６０を共締めするとともに、操作ユニット４０を閂状に固定し球受皿５の組み立てが終了となる。
【００３７】
したがって、操作ユニット４０を取り外す場合は、固定部材５０を球受皿５から取り外すことにより、操作ユニット４０を空間部１００から取り外すことができる。言い換えれば、操作ユニット４０は、固定部材５０を球受皿５から取り外すことにより、空間部１００から取り外し可能に固定されている。なお、本実施形態においては、仮固定部材６０においても、固定部材５０を取り外した後に、当て板部材１０の後面から締めた締結部材７０を外すことで簡単に外すことが可能であり、操作ユニット４０に負荷を与えることなく、簡単に着脱することができる。
【００３８】
本発明では遊技機の一例としてぱちんこ機について説明したが、他に例えばアレンジボール遊技機、雀球遊技機等の払出装置が設けられる遊技機に適用することができる。本実施形態では、操作ユニット４０においてビスなどの締結部材を用いずに固定する構成としたが、例えば操作ユニットの後面側に取付部を設け、その取付部が当て板部材１０に形成された取付孔に後面側から挿入される締結部材によって当て板部材１０に固定してもよい。また、前飾り部材３０の差込孔３３から工具を用いて操作ユニットを皿部材に対して締結部材によって固定してもよい。その場合には、球受皿を無用に分解することがないので、簡単に操作ユニットを着脱できるとともに、操作ユニットの固定を強化することができる。
【００３９】
また、操作ユニット４０は、表示部４１や操作部として球貸スイッチ４２ａ，返却スイッチ４２ｂ，演出ボタン４２ｃ，サブ球排出ボタン４２ｄを備えているが、これに限定されるものではなく、種々の組み合わせが可能であり、それぞれが独立して配置することもできる。
【図面の簡単な説明】
【００４０】
【図１】本発明の実施形態に係る遊技機の一例を示す正面図。
【図２】球受皿の平面図及び斜視図。
【図３】球受皿の分解斜視図。
【図４】球受皿の縦断面図。
【図５】球受皿の一部を分解した斜視図。
【図６】皿部材の平面図及び斜視図。
【図７】前飾り部材の平面図及び斜視図。
【図８】操作ユニットの平面図及び斜視図。
【図９】固定部材の正面図，背面図，側面図及び斜視図。
【図１０】仮固定部材の平面図及び斜視図。
【符号の説明】
【００４１】
１  ぱちんこ機（遊技機）
２  外枠
３  透明板
４  前枠
５  球受皿
６  発射ハンドル
１０  当て板部材
１３  筒状突部
１３ａ  取付孔
２０  皿部材
２１  底壁
２２  前周壁
２３  貯留部
２４  整流通路
２５  金属プレート
２６  係止孔
２７  皿取付部
３０  前飾り部材
３１  底壁
３２  前周壁
３３  差込孔
３４  支持壁
３５  支持突起
３６  飾り取付部
４０  操作ユニット
４１  表示部
４２  操作部
４２ａ  球貸スイッチ
４２ｂ  返却スイッチ
４２ｃ  演出ボタン
４２ｄ  球排出ボタン
４３  セット板部
４３ａ  皿側係止片
４３ｂ  飾り側係止片
４３ｃ  飾り側係止凹
４４  収容部
４４ａ  支持脚
４５  被係合部
５０  固定部材
６０  仮固定部材
７０  締結部材
１００  空間部
１０１  開口
【図１】
2010148710.tif 000003
【図２】
2010148710.tif 000004
【図３】
2010148710.tif 000005
【図４】
2010148710.tif 000006
【図５】
2010148710.tif 000007
【図６】
2010148710.tif 000008
【図７】
2010148710.tif 000009
【図８】
2010148710.tif 000010
【図９】
2010148710.tif 000011
【図１０】
2010148710.tif 000012